(57)【要約】【課題】ディスプレイ棚などにディスプレイされている商品のディスプレイ位置が変わったときに、前記照明灯カバーを回転調節することで、ＬＥＤの光が、変動した位置にディスプレイされている商品に向けて照明できる照明方向の調節が可能なＬＥＤ照明灯を提供する。【解決手段】帯状の印刷回路基板に一定間隔で配置される複数のＬＥＤを光源とするＬＥＤ照明灯であって、前記印刷回路基板が挿設できる内径を有するように断面が円形になる照明灯カバーと、前記照明灯カバーの両端にそれぞれ固定装着される固定キャップと、前記それぞれの固定キャップの中心軸線に沿って外側に突出するように形成され、前記印刷回路基板に配設される複数のＬＥＤに作動電気を印加するように構成される単棒電極棒と、前記照明灯カバーの両端を支持するソケットを有する照明灯ケースと、前記単棒電極棒の挿入を許容するように前記それぞれのソケットに形成される挿入孔と、前記それぞれの挿入孔の内側には、前記単棒電極棒と電気的に接続されるとともに、単棒電極棒の回転を許容するように弾力的に覆って挟持する一対の電極端子とを含んで構成され、前記照明灯カバーが前記両側のソケットに対して回転による位置移動が可能に装着される。【選択図】図１
2011521424.tif 000002
【特許請求の範囲】
【請求項１】
帯状の印刷回路基板に一定間隔で配置される複数のＬＥＤを光源とするＬＥＤ照明灯であって、
前記印刷回路基板が挿設できる内径を有するように断面が円形の照明灯カバーと、
前記照明灯カバーの両端にそれぞれ固定装着される固定キャップと、
前記それぞれの固定キャップの中心軸線に沿って外側に突出するように形成され、前記印刷回路基板に配設される複数のＬＥＤに作動電気を印加するように構成される単棒電極棒と、
前記照明灯カバーの両端を支持するソケットを有する照明灯ケースと、
前記単棒電極棒の挿入を許容するように前記それぞれのソケットに形成される挿入孔と、
前記それぞれの挿入孔の内側には、前記単棒電極棒と電気的に接続されるとともに、単棒電極棒の回転を許容するように弾力的に覆って挟持する一対の電極端子とを含んで構成され、
前記照明灯カバーが前記両側のソケットに対して回転による位置移動が可能に装着されたことを特徴とする照明方向の調節が可能なＬＥＤ照明灯。
【請求項２】
前記両側の単棒電極棒の外周面には、両側のソケットそれぞれの挿入孔内部に装着された一対の電極端子との回転摩擦を増大させるための鋸歯形状の凹凸部が形成されていることを特徴とする請求項１に記載の照明方向の調節が可能なＬＥＤ照明灯。
【請求項３】
前記それぞれの挿入孔の内側に装着された一対の電極端子には、前記単棒電極棒の外周面に形成された凹凸部との回転摩擦を増大させるための摩擦部が一つ以上形成されていることを特徴とする請求項１に記載の照明方向の調節が可能なＬＥＤ照明灯。
【発明の詳細な説明】
【技術分野】
【０００１】
本発明は、素子の種類に応じて多様な色相の光出力で発光する発光ダイオード（ＬＥＤ：Ｌｉｇｈｔ  ｅｍｉｔｔｉｎｇ  ｄｉｏｄｅ）を光源とするＬＥＤ照明灯に関し、より具体的には、ＬＥＤが一定間隔で配置されている帯状の印刷回路基板が挿設されている円形の照明灯カバーを回転操作しても、前記照明灯カバーの両端に形成された単棒電極棒がソケットから緩まず、電気的な接続状態を維持しながら、前記照明灯カバーとともに回転するようにすることにより、照明灯カバー自体の回転調節を可能にし、ＬＥＤから発光する光の照明方向を調節できるようにする照明方向の調節が可能なＬＥＤ照明灯に関する。
【背景技術】
【０００２】
一般にデパートや大型ディスカウントストア及び各種の商品を取り扱う商品販売場では、売り場にディスプレイ及び展示されている商品はもとより、ディスプレイ棚やディスプレイ台にディスプレイされている商品を明るくて鮮明に照明するために照明灯を用いている。
【０００３】
従来、売り場にディスプレイされている商品を照明するためには、白熱電球や蛍光灯を照明灯に用いているが、前記白熱電球は、低価格であるという長所があるものの、電力消費が多く、使用寿命が短いという短所があるだけでなく、点灯時に高温の熱を発生させるため、ディスプレイされている商品に良くない影響を及ぼすという問題がある。また、前記蛍光灯は、白熱電球に比べて高価格ではあるものの、電力消費が少なくて使用寿命が長く、点灯時に白熱電球より低温の熱が発生するため、デパートなどでは、商品を照明する照明灯として蛍光灯を広く用いているのが現状である。
【０００４】
しかし、前記蛍光灯も、白熱電球と同様に２２０Ｖまたは１１０Ｖの電圧を用いているので、電力消費が多く、長時間点灯するときに熱の発生量が多くなる点が問題として指摘されている。一方、最近になって、電力消費が少なく、低い電圧で点灯する複数のＬＥＤを用いた照明灯が用いられているが、ＬＥＤは、白熱電球や蛍光灯のように、光が四方へ広がる状態で照明せず、一方向に向けて放射する状態で照明する特性を有しているため、ディスプレイ棚などにディスプレイされている商品を照明する照明灯に用いる場合には、最初の設置時に設定された照明方向に向けてのみ光を放射して照明するので、ディスプレイ棚にディスプレイされる商品のディスプレイ位置を変えたときには、その変動した位置にディスプレイされている商品は明るく照明できなくなるという問題が発生する。
【発明の概要】
【発明が解決しようとする課題】
【０００５】
本発明は、前記のような従来技術での諸般問題を解決するために提案されたものであり、既存の蛍光灯のように断面が円形に形成された照明灯カバーの両端に突出している両側の単棒電極棒が照明灯ケースの両端に形成されたソケットに電気的に接続された状態で回転作動ができるように組み立てることにより、使用者は、前記照明灯カバー自体を回転操作し、前記照明灯カバーの内部に装着されている複数のＬＥＤから発光する光の照明方向を調節でき、ディスプレイ棚などにディスプレイされている商品のディスプレイ位置が変わったときには、前記照明灯カバーを回転調節することで、ＬＥＤの光が、変動した位置にディスプレイされている商品に向けて照明することを目的とする。
【課題を解決するための手段】
【０００６】
本発明は、前記のような目的を達成するための手段として、帯状の印刷回路基板４に一定間隔で配置される複数のＬＥＤ３を光源とするＬＥＤ照明灯であって、前記印刷回路基板４が挿設できる内径を有するように断面が円形の照明灯カバー５と、前記照明灯カバー５の両端にそれぞれ固定装着された固定キャップ５２、５３と、前記それぞれの固定キャップ５２、５３の中心軸線に沿って外側に突出するように形成されて、前記印刷回路基板４に配設される複数のＬＥＤ３に作動電気を印加するように構成される単棒電極棒５４、５５と、前記照明灯カバー５の両端を支持するソケット２ａ、２ｂを有する照明灯ケース２と、前記単棒電極棒５４、５５の挿入を許容するように前記それぞれのソケット２ａ、２ｂに形成される挿入孔２４と、前記それぞれの挿入孔２４の内側には、前記単棒電極棒５４、５５と電気的に接続されるとともに、単棒電極棒５４、５５の回転を許容するように弾力的に覆って挟持する一対の電極端子２５とを含んで構成され、前記照明灯カバー５が前記両側のソケット２ａ、２ｂに対して回転による位置移動が可能に装着されたことを特徴とする。
【０００７】
また、本発明の望ましい実施例によれば、前記両側の単棒電極棒５４、５５の外周面には、両側のソケット２ａ、２ｂそれぞれの挿入孔２４内部に装着された一対の電極端子２５との回転摩擦を増大させるための鋸歯形状の凹凸部５６が形成されていることを特徴とする。また、本発明によれば、それぞれの挿入孔２４内側に装着された一対の電極端子２５には、前記単棒電極棒の外周面に形成された凹凸部５６との回転摩擦を増大させるための摩擦部２８が一つ以上形成されていることを特徴とする。また、本発明によれば、前記固定キャップ５２、５３の外周には、前記照明灯カバーを容易に回転させるための取っ手５２ａ、５３ａが突出していることを特徴としている。
【発明の効果】
【０００８】
本発明によれば、照明灯ケースの両端に結着した両側のソケットに両側の単棒電極棒が電気的に接続された状態で組み立てられた円筒状の照明灯カバーを、一定の角度だけ回転操作させた角度で停止させることができるように構成されており、ディスプレイ棚などの棚にディスプレイされている商品を位置移動させてディスプレイしたとき、変動した位置にディスプレイされた商品に向けて照明することができ、ディスプレイ商品の照明効果を高めることができる長所がある。
【図面の簡単な説明】
【０００９】
【図１】本発明を説明するための一実施例であるＬＥＤ照明灯の分解斜視図である。
【図２】本発明を実施したＬＥＤ照明灯の組立状態図である。
【図３】本発明を実施した照明灯ケースの両側のソケットと照明灯カバーの両側の単棒電極棒の組立状態を示す断面図である。
【図４】本発明を実施したＬＥＤ照明灯の使用状態を示す断面図である。
【図５】本発明を実施した照明灯カバーの他の実施例の断面図である。
【図６】本発明を実施した照明灯カバーの別の実施例の断面図である。
【発明を実施するための形態】
【００１０】
本発明による照明方向の調節が可能なＬＥＤ照明灯に関する具体的な実施例を、添付の図面を参照して詳細に説明する。図１は、本発明を説明するための一実施例であるＬＥＤ照明灯の分解斜視図であり、図２は、本発明を実施したＬＥＤ照明灯の組立状態図、図３は、本発明を実施した照明灯ケースの両側のソケットと照明灯カバーの両側の単棒電極棒の組立状態を示す断面図、図４は、本発明を実施したＬＥＤ照明灯の使用状態を示す断面図、図５及び図６は、本発明を実施した照明灯カバーの他の実施例を示す断面図である。
【００１１】
各図面においての符号１はＬＥＤ照明灯の全体を示すものであり、前記ＬＥＤ照明灯１は、両端にソケット２ａ、２ｂが組み立て式に固着される照明灯ケース２と、複数のＬＥＤ３が一定間隔で組み立てられて設けられた印刷回路基板４が装着される照明灯カバー５とで構成されている。
【００１２】
前記ＬＥＤ照明灯１の照明灯カバー５は、印刷回路基板４を挿入できる内径を有する断面が円形の筒状体で形成されており、その内面の両側には、前記印刷回路基板４の両端が嵌め込まれる嵌め込み溝５１が互いに対向するように形成されている。
【００１３】
前記照明灯カバー５の両端には、両側の固定キャップ５２、５３が組み立て式に固着されており、前記両側の固定キャップ５２、５３には、その中心側線に沿って外側に単棒電極棒５４、５５がそれぞれ１つずつ突出した状態で組み立てられているが、前記両側の固定キャップ５２、５３のそれぞれに突出形成された両側の単棒電極棒５４、５５は、それぞれ照明灯カバー５の内側に挿設された印刷回路基板４の両端に電気的に連結され、印刷回路基板４に一定間隔で配置されている各ＬＥＤ３に電気を供給できるように構成されている。即ち、前記印刷回路基板４の両端から引き出される電線が、両側の固定キャップ５２、５３の内側で両側の単棒電極棒５４、５５に電気的に連結された状態で接続されている。
【００１４】
そして、前記単棒電極棒５４、５５は、固定キャップ５２、５３に対して電気的に絶縁状態になるように、インサート射出などによって一体に形成することが望ましい。前記両側の固定キャップ５２、５３には、それぞれ一側に突出する取っ手５２ａ、５３ａが形成されており、前記取っ手は、後述するように、照明灯カバー５の回転調節を容易にする作用を有している。
【００１５】
前記ＬＥＤ照明灯１の照明灯ケース２の両端に組み立てられる両側のソケット２ａ、２ｂの挿入組立部２１の上面には、それぞれ掛止部２２が突出して設けられているが、前記掛止部２２は、挿入組立部２１を照明灯ケース２の両端に挿入させる時には弾力的に圧着され、さらに前記挿入組立部２１の挿入が完了する時点で照明灯ケース２の両側の上面にそれぞれ形成された組立孔２３から弾力的に突出することにより、両側のソケット２ａ、２ｂは、それぞれ照明灯ケース２の両端に挿入組立が完了した時には固定状態で接続されるようになっている。
【００１６】
本発明の特徴は、前記照明灯ケース２の両端に固着される両側のソケット２ａ、２ｂに、照明灯カバー５の両端にそれぞれ突出している両側の単棒電極棒５４、５５を電気的に接続されるように結合した状態で、前記単棒電極棒５４、５５が両側のソケット２ａ、２ｂから緩まないようにしながら照明灯カバー５自体を回転調節できるようにすることにより、前記照明灯カバー５の内部に装着された印刷回路基板４の各ＬＥＤ３から発光する光の照明方向を調節できるように構成したことにある。このために、前記両側のソケット２ａ、２ｂには、互いに対向する内側面の中心部に前記照明灯カバー５の両端に突出する単棒電極棒５４、５５の挿入を許容する挿入孔２４がそれぞれ１つずつ形成されており、また、前記両側のソケット２ａ、２ｂの内側には、それぞれ挿入孔２４に挿入される単棒電極棒５４、５５により弾力的に広がりながら前記単棒電極棒５４、５５を弾力的に覆う状態で挟持するように、板状になっている一対の電極端子２５がそれぞれ装着されている。
【００１７】
また、前記両側のソケット２ａ、２ｂのうちの一側には、図２に示すように電気を供給するためのコネクタ６が接続される接続端子２６が形成されており、前記一側ソケット２ａに形成された接続端子２６は、照明灯ケース２の内部に装着される安定器２７に電線により連結されている。そして前記両側のソケット２ａ、２ｂそれぞれの挿入孔２４の内側に装着された各対の電極端子２５は、安定器２７から引き出される電線により電気の供給を受けることができるように構成されている。
【００１８】
そして前記照明灯カバー５の両端に突出し、両側のソケット２ａ、２ｂそれぞれの挿入孔２４を通じて各対の電極端子２５に弾力的に挟持される両側の単棒電極棒５４、５５は、前記各対の電極端子２５との摩擦作用により照明灯カバー５を一定角度で回転させたとき、その角度で停止した状態を維持できるようにするために、前記両側の単棒電極棒５４、５５それぞれの外周面には、鋸歯状の凹凸部５６（図３）を形成しており、また、前記両側のソケット２ａ、２ｂの内側に形成された各対の電極端子２５には、前記単棒電極棒５４、５５それぞれの外周面に形成された凹凸部５６との回転摩擦力を増大できるようにする摩擦部２８が一つ以上形成されているが、前記摩擦部２８は、各対の電極端子２５に弾力的に挟持される単棒電極棒５４、５５それぞれに対して外側に向かって突出する構造が形成されたものを実施例としている。
【００１９】
一方、前記ＬＥＤ照明灯１は、照明灯ケース２の両端に両側のソケット２ａ、２ｂを組み立てるとき、照明灯カバー５も共に組み立てられるものであり、これにより前記照明灯カバー５の両端に突出した両側の単棒電極棒５４、５５は、照明灯ケース２の両端に固着された両側のソケット２ａ、２ｂの挿入孔２４中に挿入された状態で組み立てられるとともに、両側の固定キャップ５２、５３は、両側のソケット２ａ、２ｂ間で緩まれない状態で組み立てられるものである。
【００２０】
従って、前記照明灯カバー５は、照明灯ケース２の両端に固着された両側のソケット２ａ、２ｂ間で弛緩できない状態になるが、両側のソケット２ａ、２ｂに装着された各対の電極端子２５に弾力的に挟持されている両側の単棒電極棒５４、５５が回転可能な状態であるため、これに伴い回転作動が可能な状態になる。また、前記ＬＥＤ照明灯１の照明灯カバー５は、その内部に挿入された印刷回路基板４に一定間隔で設けられた複数のＬＥＤ３から発光する光を外部に透過できるように全体が透明な材質を素材にし、透明な円形の断面で形成された実施例があり（図４参照）、または、図５に示すように、断面が半円形に形成された半円形透明カバー５ａと半円形不透明カバー５ｂとに分割製作された状態で、円形の断面をなすように組み立てられる実施例、及び図６に示すように、半円形透明カバー５ａと複数の放熱板５７が形成された半円形不透明カバー５cとに分割製作された状態で、円形の断面として組み立てられる実施例で構成することもできる。
【００２１】
このように構成された本発明のＬＥＤ照明灯１は、照明灯ケース２と照明灯カバー５とが一体に組み立てられた状態で供給されるものであり、使用者は、ＬＥＤ照明灯１を用いてディスプレイ棚などにディスプレイされる各種の商品を照明しようとするときに、前記ＬＥＤ照明灯１の照明灯ケース２をディスプレイ棚の内壁または棚の底部に固着させた後、前記照明灯ケース２の両端に固定された両側のソケット２ａ、２ｂ間に付着されている照明灯カバー５を回転させる動作により、前記照明灯カバー５の内側に挿入された印刷回路基板４の傾斜角を調節し、複数のＬＥＤ３から発光する光の照明方向を調節できるようになる。
【００２２】
即ち、前記両側のソケット２ａ、２ｂ間に組み立てられている照明灯カバー５を指で掴んで回転させれば、両側のソケット２ａ、２ｂに挿入孔２４を通じて挿入されている両側の単棒電極棒５４、５５も共に回転するようになるが、この時、両側のソケット２ａ、２ｂに装着されている各対の電極端子２５は、前記単棒電極棒５４、５５の外周面を弾力的に挟持している状態であるため、前記照明灯カバー５は、使用者の強制的な回転操作により回転力が加えられる方向に回転するようになり、前記照明灯カバー５が一定角度まで強制回転させた状態で回転操作を止めれば、両側のソケット２ａ、２ｂに装着された各対の電極端子２５が弾性力を発揮し、単棒電極棒５４、５５が回転できないように止める。しかしこの時、前記単棒電極棒５４、５５と各対の前記電極端子２５は、それぞれ凹凸部５６と摩擦部２８とにより摩擦作用が増大した状態になり、前記照明灯カバー５は、使用者が強制的に一定角度まで回転させた角度で固定された状態で停止するようになる。
【００２３】
従って、使用者は、ＬＥＤ照明灯１が設けられたディスプレイ棚などの棚にディスプレイされている各種の商品のディスプレイ位置を変動させたときには、前記ＬＥＤ照明灯１の照明灯カバー５を回転調節することにより、各ＬＥＤ３から発光する光が変動位置にディスプレイされている商品に向けて照明できるようになる。
【００２４】
一方、前記のようにＬＥＤ照明灯１の照明方向を調節するにおいては、取っ手５２ａ、５３ａを用いればより一層容易に調節できるところ、このとき、前記両側の固定キャップ５２、５３それぞれに一側へ突出した取っ手５２ａ、５３ａを指で押したり引いたりする方法で、照明灯カバー５を所望の方向に容易に回転させることができるようになる。
【００２５】
そして図５及び図６の実施例のように、半円形透明カバー５ａと半円形不透明カバー５ｂ、５ｃを円形に組み立てる構造で照明灯カバー５を構成した場合には、印刷回路基板４に設けられた複数のＬＥＤ３から発光する光が半円形不透明カバー５ｂ、５ｃには透過せず、半円形透明カバー５ａを通してのみ照明されるので、ディスプレイ商品を集中的に照明できるようになり、さらに、放熱板５７が形成された照明灯カバー５の場合は、各ＬＥＤ３から発生する熱を外部へ放出できるようになるので、複数のＬＥＤ３の使用寿命を延長させることができるようになる。  
【符号の説明】
【００２６】
１：ＬＥＤ照明灯
２：照明灯ケース
２ａ、２ｂ：ソケット
３：ＬＥＤ
４：印刷回路基板
５：照明灯カバー
６：コネクタ
２１：挿入組立部
２２：掛止部
２３：組立孔
２４：挿入孔
２５：電極端子
２６：接続端子
２７：安定器
２８：摩擦部
５１：嵌め込み溝
５２、５３：固定キャップ
５４、５５：単棒電極棒
５６：凹凸部
【図１】
2011521424.tif 000003
【図２】
2011521424.tif 000004
【図３】
2011521424.tif 000005
【図４】
2011521424.tif 000006
【図５】
2011521424.tif 000007
【図６】
2011521424.tif 000008
【国際調査報告】
2011521424.tif 000009
2011521424.tif 000010
2011521424.tif 000011